(57)【要約】【課題】チルド室の容器の引き出しときのカバーの開閉に関して、感触や接触音に重厚性を与えることができる冷蔵庫を提供する。【解決手段】  チルド室４２、チルド室４２に前後方向に移動可能に配された上容器７２と、チルド室４２の天井面５８の前端部に配され、上容器７２の前上方を塞ぐカバー９０とを有し、カバー９０が、枠部材１２２と枠部材１２２内に配されたガラス板１２４とを含む閉塞部を有する。【選択図】      図３
2017215069.tif 000002
【特許請求の範囲】
【請求項１】
チルド室と、
チルド室に前後方向に移動可能に配された容器と、
前記チルド室の天井板の前端部に配され、前記容器の少なくとも前上方を塞ぐカバーと、
を有し、
前記カバーは、枠部材と前記枠部材内に設けられたガラス板とを含む閉塞板を有する、
冷蔵庫。
【請求項２】
前記チルド室を含む貯蔵室は、扉を備え、
前記閉塞板は前記扉の色と同じ色、又は、前記扉の模様と同じ模様である、
請求項１に記載の冷蔵庫。
【請求項３】
前記チルド室の天井面が、ガラス板を含む、
請求項１に記載の冷蔵庫。
【請求項４】
前記カバーの前記ガラス板は、透明であって、前記チルド室の前記天井面の前記ガラス板よりも透明度が高い、
請求項３に記載の冷蔵庫。
【請求項５】
前記カバーの前記ガラス板は、前記チルド室の前記天井面の前記ガラス板よりも薄い、
請求項３に記載の冷蔵庫。
【請求項６】
前記カバーの前記ガラス板は、前記チルド室の前記天井面の前記ガラス板よりも厚い、
請求項３に記載の冷蔵庫。
【請求項７】
前記カバーの前記ガラス板と、前記チルド室の前記天井面の前記ガラス板とは、同じガラス材料を含む、
請求項３に記載の冷蔵庫。
【請求項８】
前記閉塞板の両側部から左右一対の腕部が後方に突出している、
請求項１乃至７のいずれかに記載の冷蔵庫。
【請求項９】
前記枠部材の内縁部が、前記ガラス板の外縁部を全周にわたって覆っている、
請求項１乃至８のいずれかに記載の冷蔵庫。
【発明の詳細な説明】
【技術分野】
【０００１】
本発明の実施形態は、冷蔵庫に関するものである。
【背景技術】
【０００２】
従来、冷蔵庫の冷蔵室にはチルド室が設けられ、このチルド室に肉類、魚類、乳製品などの食品が収納されている。チルド室には、これら食品を収納するために容器が設けられ、この容器の前方は、チルド室の天井面前端部に設けられたカバーによって閉塞されている。
【先行技術文献】
【特許文献】
【０００３】
【特許文献１】特開昭６１−１５４８７号公報
【特許文献１】特開２００９−３６４５７号公報
【発明の概要】
【発明が解決しようとする課題】
【０００４】
上記チルド室のカバーは合成樹脂製であるため、カバーの重量が軽く、カバーの開閉時の感触や部品同士の接触音も軽く、操作性の品位が損なわれるという問題点があった。
【０００５】
そこで本発明の実施形態は上記問題点に鑑み、チルド室の容器の引き出しときのカバーの開閉に関して、感触や接触音に重厚性を与えることができる冷蔵庫を提供することを目的とする。
【課題を解決するための手段】
【０００６】
本発明の実施形態は、チルド室と、チルド室に前後方向に移動可能に配された容器と、前記チルド室の天井板の前端部に配され、前記容器の少なくとも前上方を塞ぐカバーと、を有し、前記カバーは、枠部材と前記枠部材内に設けられたガラス板とを含む閉塞板を有する、冷蔵庫である。
【図面の簡単な説明】
【０００７】
【図１】本発明の一実施形態を示す冷蔵庫の正面図。
【図２】冷蔵庫の縦断面図。
【図３】チルド室の正面図。
【図４】上容器の斜視図。
【図５】上容器の右側面図。
【図６】上容器の左側面図。
【図７】チルド室の天井面とカバーの斜視図。
【図８】カバーの縦断面図。
【図９】上容器を収納している状態のチルド室の縦断面図。
【図１０】上容器を少し引き出した状態のチルド室の縦断面図。
【図１１】上容器をさらに引き出した状態のチルド室の縦断面図。
【図１２】上容器を最も引き出した状態のチルド室の縦断面図。
【図１３】カバーに異物が挟まった状態のチルド室の縦断面図。
【図１４】カバーを引き上げた状態のチルド室の縦断面図。
【図１５】カバーを最も引き上げ、異物が離れた状態のチルド室の縦断面図。
【図１６】扉を勢いよく閉めようとしている状態のチルド室の縦断面図。
【図１７】扉が閉まろうとしている状態のチルド室の縦断図。
【図１８】扉がさらに閉まろうとしている状態のチルド室の縦断面図。
【図１９】カバーを取り付けて接触子が規制片の上にある状態のチルド室の縦断面図。
【発明を実施するための形態】
【０００８】
以下、実施形態の冷蔵庫１０について図１〜図１９に基づいて説明する。
【０００９】
（１）冷蔵庫１０の構造
冷蔵庫１０の構造について図１〜図３に基づいて説明する。図１は冷蔵庫１０の正面図、図２は冷蔵庫１０の側面から見た縦断面図である。
【００１０】
図１と図２に示すように、冷蔵庫１０のキャビネット１２は断熱箱体であって、内箱と外箱とより形成され、その間に断熱材が充填されている。このキャビネット１２内は、上から順番に冷蔵室１４、野菜室１６、小型冷凍室１８及び冷凍室２０を有し、小型冷凍室１８の横には製氷室２１が設けられている。野菜室１６と小型冷凍室１８及び製氷室２１の間には水平な断熱仕切体３６が設けられている。冷蔵室１４と野菜室１６とは水平な仕切体３８によって仕切られている。冷蔵室１４の前面には、観音開き式の左扉１４ａ、右扉１４ｂが設けられ、野菜室１６には引出し式の野菜扉１６ａが設けられ、小型冷凍室１８、冷凍室２０及び製氷室２１にもそれぞれ引出し式の扉１８ａ、２０ａ、２１ａが設けられている。
【００１１】
冷蔵室１４内には、複数のガラス製の棚４０が水平に設けられ、下部にはチルド室４２が設けられている。冷蔵室１４の左右扉１４ａ、１４ｂの後面には複数のドアポケット４４が設けられている。チルド室４２については、後から詳しく説明する。野菜室１６には、引出し式の野菜容器４６が設けられている。
【００１２】
冷蔵室１４の後面下部から野菜室１６の後面において、冷蔵用蒸発器（以下、「Ｒエバ」という）２８が設けられ、その下方には冷蔵用送風機（以下、「Ｒファン」という）３０が設けられている。Ｒエバ２８とＲファン３０とは、エバカバー４８で囲まれた冷却室であるＲエバ室２７に配されている。
【００１３】
Ｒエバ室２７から上方に冷気通路５０が冷蔵室１４の背面に沿って延び、この冷気通路５０には複数の吹き出し口５２が設けられ、この吹き出し口５２から冷蔵室１４に冷気が吹き出される。また、チルド室４２の背面にも吹き出し口５４が設けられ、冷気がチルド室４２内部に吹き出される。
【００１４】
小型冷凍室１８、製氷室２１の後面から冷凍室２０の後面にかけてのＦエバ室３１には、冷凍用蒸発器（以下、「Ｆエバ」という）３２が設けられ、その上方には冷凍用送風機（以下、「Ｆファン」という）３４が設けられている。Ｆエバ３２の下方には、不図示の除霜ヒータが設けられている。
【００１５】
キャビネット１１の後面底部には、機械室２２が設けられ、冷凍サイクルを構成する圧縮機２４などが載置されている。この機械室２２の後面上部には、制御板２６が設けられている。
【００１６】
（２）チルド室４２
次に、チルド室４２について図３〜図９に基づいて説明する。図３に示すように、チルド室４２は、冷蔵室１４の底部右側に配され、その左側には水タンク５６が設けられている。この水タンク５６は、製氷室２０内部に設けられている製氷装置の製氷皿に製氷用の水を供給するためにある。
【００１７】
チルド室４２は、図３に示すように、天井面５８、左側面６０、右側面６２、底面６４、後面６６から構成され、前方が開口している。チルド室４２内部には、合成樹脂製の上容器７２と下容器７４が上下２段に配されている。左側面６０は、水タンク５６とを仕切る部材とを兼ね、右側面６２は冷蔵室１４の右側面も兼ねている。後面６６には、上記で説明した冷気の吹き出し口５４が開口している。図７に示すように、天井面５８は水平に配され、合成樹脂製の枠部材６８と、枠部材６８の内周側に配された長方形状のガラス板７０とを有する。天井面５８の前端部には回転自在にカバー９０が設けられ、上容器７２の前上方を覆っている。
【００１８】
上容器７２は、図４に示しように、左側面７６、右側面７８。前面８０、後面８２、底面８４とより構成された皿状であって、上方が開口している。上容器７２の前面８０の中央下部には手掛け部８６が切り欠かれている。
【００１９】
上容器７２の左側面７６の前部には、図４、図５に示すように、左膨出部９２が上方に延設されている。左膨出部９２の外周面には、前後方向に直動カム９４が突条に設けられている。この直動カム９４は、前方ほど下方になるように設けられている。直動カム９４の後部は前部よりも傾斜が緩やかになりほぼ水平になった後、左膨出部９２と左側面７６のフランジ部９６と連続している。直動カム９４の前端部には段差片９８が連続して設けられている。この段差片９８は、直動カム９４の傾斜よりも前方にいくほど下方に急激に傾斜し、前面８０の高さの位置でほぼ水平になり、前面８０の上端部と連続している。図４、図５に示すように、左膨出部９２の上縁部の前部であって、直動カム９４の上方には規制片１００が突条に設けられている。規制片１００は、直動カム９４の傾斜した部分と同じ長さを有し、かつ、平行に配されている。また、規制片１００の前端部は下方に屈曲し屈曲部１０２が形成されている。屈曲部１０２の下端部と、直動カム９４の前端部及び段差片９８との間には空間１０４が設けられている。上容器７２の左側面７６における直動カム９４の下方には、前後方向にレール突条部１０６が設けられている。
【００２０】
図６に示すように、上容器７２の右側面７８の前部にも右膨出部１０８が設けられ、左側の直動カム９４と左右対称に右側の直動カム１１０が設けられている。直動カム１１０の後端部からフランジ部１１２が設けられ、前端部から段差部１１４が設けられている。また、右側の規制片１１６は、左側の規制片１００より短く、段差部１１４の上方と直動カム１１０の前部の上方のみ設けられている。また、右側の規制片１１６の前端部には、屈曲部１１８が設けられている。右側面７８にも、前後方向にレール突条部１２０が設けられている。
【００２１】
チルド室４２の左側面６０と右側面６２にはそれぞれ前後方向に左右一対のレール６１，６１が設けられ、これらに沿って左右一対のレール突条部１０６，１２０が前後方向に移動する。これによって、上容器７２がチルド室４２内部を前後方向に移動自在、及び、引き出し可能となっている。
【００２２】
下容器７４は、平面矩形の皿状であり、チルド室４２の底面６４に載置され、前方に引き出し可能である。また、下容器７４の前面中央上部には手掛け部８８が切り欠かれている。
【００２３】
（３）カバー９０
次に、カバー９０について図３、図７、図８に基づいて説明する。カバー９０は、図３に示すように、チルド室４２の天井面５８と同じ幅を有し、その高さは天井面５８から上容器７２の前面８０の上端部までである。カバー９０の閉塞板１３２は、図７に示すように、長方形の合成樹脂よりなる枠部材１２２と、この枠部材１２２の内周側に設けられた長方形のガラス板１２４からなる。枠部材１２２の上端部は左右両方とも内方に凹み、その凹みから外側に向かって左右一対の回転軸１２６，１２６が水平に突出している。左右一対の回転軸１２６，１２６は、天井面５８の枠部材６８の左右両端部から突出した左右一対の支持腕部７１，７１に回転自在に係合している。
【００２４】
閉塞板１３２の左右両側部から三角形状の従節腕部１２８，１２８が後方に突出している。従節腕部１２８の三角形状の先端部であって、かつ、その内側から円柱型の接触子１３０が突出している。
【００２５】
図８に示すように、枠部材１２２は、ガラス板１２４と一体成形され、ガラス板１２４の外縁部の全周にわたって枠部材１２２の内縁部によって覆われている。ガラス板１２４は、ＪＩＳ  Ｒ３２０６：２００３に規定された強化ガラスを用いる。なお、このＪＩＳ規格を含めた広い意味での強化ガラスを用いてもよい。また、ガラス板１２４は無色透明であって、上容器７２に収納された食品を透視可能にある。
【００２６】
カバー９０のガラス板１２４は、天井面５８のガラス板７０より透明度を高くしている。また、カバー９０のガラス板１２４は、天井面５８のガラス板７０より薄く形成されている。
【００２７】
（４）上容器７２の収納、引き出し状態
チルド室４２における上容器７２の収納、引き出し状態について説明する。
【００２８】
第１に、冷蔵室１４の扉１４ｂが閉じられ、チルド室４２に上容器７２と下容器７４が収納されている状態について説明する。図３と図９に示すように、上容器７２の前面８０と、下容器７４の前面が上下方向に並んで位置し、上容器７２の前上方の空間は、カバー９０によって覆われている。このときカバー９０から後方に突出した従節腕部１２８の接触子１３０は、規制片１００の前端にある屈曲部１０２の内側（後側）に位置している。冷蔵室１４の扉１４ｂの後面に設けられたドアポケット４４は、チルド室４２の前方に位置し、ドアポケット４４の後面は、カバー９０、上容器７２の前面８０、下容器７４の前面の前方に位置している。上容器７２の右側も同様である。
【００２９】
第２に、ユーザが、扉１４ｂを開くと、チルド室４２が、図３のように現れる。そこで、ユーザは、上容器７２の手掛け部８６に手を掛けて上容器７２のみを前方に引き出す。図１０に示すように、上容器７２のレール突条部１０６，１２０は、レール６１，６１に沿って前方に移動する。また、規制片１００も前方に移動するため、屈曲部１０２の内側にあった接触子１３０が規制片１００の下側に沿って相対的に後方に移動し、それと共にカバー９０が回転軸１２６を中心に上方に回転して開き始める。
【００３０】
第３に、ユーザが、続けて上容器７２を前方に引き出すと、図１１に示すように、カバー９０の接触子１３０は、規制片１００の下部に沿ってさらに後方に移動する。このときに規制片１００は後方にいくほど上方（すなわち、前方にいくほど下方）になっているため、接触子１３０が上に動き、カバー９０がより開く。なお、接触子１３０は、規制片１００と直動カム９４の間を移動する場合には、上容器７２の引き出し方によっては直動カム９４の上面を滑ったり、規制片１００の下面を滑ったりする。すなわち、接触子１３０が存在する部分は、規制片１００と直動カム９４の間の空間である。
【００３１】
第４に、ユーザが、最も上容器７２を前方に引き出すと、図１２に示すように、カバー９０の接触子１３０は、規制片１００の後端部を過ぎるため、規制片１００の位置から直動カム９４の上に落下する。そしてカバー９０の接触子１３０は、直動カム９４の上を後方に移動する。さらに、接触子１３０が直動カム９４の後端部からフランジ部９６に達する前に、上容器７２は引き出しができない状態にするためレール突条部１２０の後端部には突部が設けられている。
【００３２】
また、上容器７２の右側面７８も、直動カム１１０、規制片１１６によって右側の接触子１３０が左側と同様の動きをする。但し、規制片１１６の後端部が、左側の規制片１００よりも短いため、その殆どが右側の直動カム１１０上を移動する。
【００３３】
ユーザが上容器７２を収納する場合には、接触子１３０は上記とは逆の前方に移動する。
【００３４】
これにより、カバー９０をスムーズに開けたり閉めたりしながら、上容器７２を引き出したり収納できる。
【００３５】
（５）上容器７２とカバー９０に異物が挟まった場合
次に、上容器７２の前面８０とカバー９０との間に指などの異物が挟まった場合について図１３〜図１５に基づいて説明する。
【００３６】
図１３と図１４に示すように、規制片１００の屈曲部１０２と、直動カム９４の間に空間１０４が設けられているため、ユーザが、カバー９０の従節腕１２８の先端にある接触子１３０を、この空間１０４を通して前方に移動させる。さらに図１５に示すように、カバー９０を上方に回転できるため、ユーザは異物を簡単に抜くことができる。特に、直動カム９４の前端部から連続して段差片１１４が設けられているため、空間１０４がより広くなっており、接触子１３０が抜け出しやすい。
【００３７】
（６）扉１４ｂを勢いよく閉じた場合
次に、ユーザが、扉１４ｂを勢いよく閉じた場合の上容器７２とカバー９０について図１６〜図１８に基づいて説明する。
【００３８】
上容器７２を前方に引き出したまま、ユーザが扉１４ｂを勢いよく閉じると、ドアポケット４４の後面が上容器７２の前面８０に当たり、上容器７２が勢いよく後方に押される。このとき、接触子１３０は、直動カム９４と規制片１００の間に位置しているが、規制片１００が後方に移動すると、接触子１３０も規制片１００の前端部にある屈曲部１０２により上容器７２の移動と共に後方に移動してカバー９０が勢いよく閉まり、従来のようにドアポケット４４の上にカバー９０の下端部が被さらない。
【００３９】
（７）カバー９０を取り付けるときの状態
カバー９０を取り付ける場合について図１９と図１２に基づいて説明する。
【００４０】
第１に、ユーザがカバー９０の左右一対の回転軸１２６を、天井面５８の左右一対の支持腕部７１に取り付ける。
【００４１】
第２に、ユーザは、図１９に示すように、カバー９０を回転軸１２６を中心に最も上方に回転させた状態とする。この場合において、接触子１３０は、規制片１００の上に載置された状態となる。
【００４２】
第３に、ユーザが、上容器７２を前方に引き出すと、接触子１３０が規制片１００の上に位置していても、接触子１３０が規制片１００の後端部から直動カム９４の上に落下し、図１２に示すように、接触子１３０が通常状態の位置に移動する。
【００４３】
第４に、ユーザは、上容器７２は再び後方に移動させると、カバー９０が正常な状態で閉じる。
【００４４】
（８）効果
上記実施形態によれば、カバー９０の枠部材６８の内部にガラス板７０を有しているため、カバー９０の開閉時の感触や音が重厚となり操作性が向上する。
【００４５】
また、カバー９０のガラス板１２４及び天井面５８のガラス板７０を通して、ユーザはチルド室４２内部を視認できる。
【００４６】
また、枠部材１２２は合成樹脂であり、ガラス板１２４が強化ガラスであるため、カバー９０の閉塞板１３２は破損し難い。
【００４７】
また、ガラス板１２４が枠部材１２２と一体成形され、ガラス板１２４の外縁部が枠部材１２２の内縁部によって覆われているため、ガラス板１２４が外れない。
【００４８】
また、閉塞板１３２の両側部から左右一対の従節腕部１２８が後方に突出しているため、閉塞板１３２が撓んだりしない。
【００４９】
また、カバー９０のガラス板１２４は、天井面５８のガラス板７０より透明度が高いため、ユーザはガラス板１２４越しに食料が視認しやすい。
【００５０】
また、カバー９０のガラス板１２４を、天井面５８のガラス板７０より薄く形成しているのでカバー９０が軽量となり、ユーザは上容器７２を引き出しやすい。
【００５１】
（９）変更例
上記実施形態では、ガラス板１２４、ガラス板７０は、透明であったが、これに代えて、扉１４ａ，１４ｂが色又は模様を有するガラスで構成されている場合には、その同じガラスの色又は模様でもよい。例えば、扉１４ａ，１４ｂがガラスパネルで構成されている場合には、ガラス板１２４、ガラス板７０をそのガラスパネルと同じ色又は模様で構成すれば、意匠的に統一した状態になる。
【００５２】
また、上記実施形態では、カバー９０のガラス板１２４を天井面５８のガラス板７０より薄く構成したが、逆に厚くすると強度が高くなり割れにくくなる。
【００５３】
また、上記実施形態では、カバー９０のガラス板１２４は、天井面５８のガラス板７０より透明度が高く。かつ、薄く形成したが、カバー９０のガラス板１２４と天井面５８のガラス板７０とを同じガラス材料で形成してもよい。また、同じ材料のガラス板を削ったり、加工して、カバー９０のガラス板１２４を、天井面５８のガラス板７０の厚さと変更したり、透明度を高くしてもよい。
【００５４】
また、上記実施形態では、枠部材１２２とガラス板１２４を一体成形したが、これに変えて枠部材１２２にガラス板１２４を嵌め込む構造にしてもよい。
【００５５】
また、上記実施形態では、チルド室４２内部に上下２段の上容器７２と下容器７４を配したが、これに代えて１段のみのチルド容器を設け、このチルド容器に上記実施形態の上容器７２と同様の構造を設けてもよい。
【００５６】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５７】
１０・・・冷蔵庫、１４・・・冷蔵室、１４ａ，ｂ・・・扉、４２・・・チルド室、４４・・・ドアポケット、５８・・・天井面、７０・・・ガラス板、７１・・・支持腕部、７２上容器、７４６・・・左側面、９０・・・カバー、９２・・・左膨出部、９４・・・直動カム、９８・・・段差片、１００・・・規制片、１０２・・・屈曲部、１０４・・・空間、１２２・・・枠部材、１２４・・・ガラス板、１２６・・・回転軸、１２８・・・従節腕、１３０・・・接触子
【図１】
2017215069.tif 000003
【図２】
2017215069.tif 000004
【図３】
2017215069.tif 000005
【図４】
2017215069.tif 000006
【図５】
2017215069.tif 000007
【図６】
2017215069.tif 000008
【図７】
2017215069.tif 000009
【図８】
2017215069.tif 000010
【図９】
2017215069.tif 000011
【図１０】
2017215069.tif 000012
【図１１】
2017215069.tif 000013
【図１２】
2017215069.tif 000014
【図１３】
2017215069.tif 000015
【図１４】
2017215069.tif 000016
【図１５】
2017215069.tif 000017
【図１６】
2017215069.tif 000018
【図１７】
2017215069.tif 000019
【図１８】
2017215069.tif 000020
【図１９】
2017215069.tif 000021